(57)【要約】【課題】外気の導入量の増加と良好なデザイン性および操作性を満足させるとともに、ヘルメットの設計自由度の拡大。【解決手段】回動開閉体の開閉における回動中心が少なくとも２箇所以上複数個有り、そのうちのいずれか１個以上を作動機構外に設定することによって、回動開閉体の閉状態から開状態への回動動作途中で前記回動中心を切替える。【選択図】図５
2004124346.tif 000002
【特許請求の範囲】
【請求項１】
ヘルメットにおけるシャッタ又は、シールドのような回動によって開閉する部材である回動開閉体の支持構造において、
帽体側と回動開閉体とに亘って回動開閉体の作動機構を備え、
当該作動機構は、帽体側または回動開閉体のいずれか一方に、回動開閉体の回動を制御するための円弧部を複数形成してなり、
前記円弧部を、それぞれ円弧中心が異なる２個以上複数個の円弧を一体的に連設し、この円弧の内の少なくとも１個が作動機構外に円弧中心を持ち、この円弧中心を含む各円弧中心を回動開閉体の開閉動における回動中心と同心として、回動開閉体を各円弧の軌道に沿わせて回動させるように構成することによって、
回動開閉体がその開閉動作途中で前記回動中心を切替えながら、前記各円弧の軌道に沿って回動することを特徴とする回動開閉体の支持構造。
【請求項２】
回動開閉体がマウスシャッタであって、
帽体側と回動開閉体とに亘って備えられる回動開閉体の作動機構が、帽体側と開閉回動体のいずれか一方に円弧部（Ｕ）を、他方には円弧部（Ｕ）にスライド可能に嵌り合う第１案内軸（Ｓ１）と第２案内軸（Ｓ２）を備え、これら円弧部（Ｕ）と二つの案内軸とで回動開閉体の回動を協働して制御する構成を有し、
前記円弧部（Ｕ）を、作動機構外に円弧中心を持つ円弧形状とする第１嵌合部（Ｕ１）と、作動機構内に円弧中心を持つ円弧形状とする第２嵌合部（Ｕ２）と、前記第１嵌合部（Ｕ１）と円弧中心が共通する円弧形状とする第３嵌合部（Ｕ３）とを一体的に連設し、
各円弧中心を回動開閉体の回動中心と同心として、回動開閉体を各嵌合部の円弧の軌道に沿わせて回動させるように構成することによって、
回動開閉体の開動作の当初においては、第１案内軸（Ｓ１）と第１嵌合部（Ｕ１）および第２案内軸（Ｓ２）と第３嵌合部（Ｕ３）の協働によって、両嵌合部が持つ共通の円弧中心である第１中心点（Ｐ１）を回動中心として回動開閉体を案内し、
開動作の途中、第１案内軸（Ｓ１）が第１嵌合部（Ｕ１）と第２嵌合部（Ｕ２）の連結点に到達した時点で、第２案内軸（Ｓ２）の中心が第２嵌合部（Ｕ２）が持つ円弧中心である第２中心点（Ｐ２）に到達するとともに、回動開閉体の回動中心が前記第１中心点（Ｐ１）から第２中心点（Ｐ２）に切換り、第２案内軸（Ｓ２）を中心として回動することを特徴とする回動開閉体の支持構造。
【請求項３】
回動開閉体がシールドであって、
帽体側と回動開閉体とに亘って備えられる回動開閉体の作動機構が、帽体側と開閉回動体のいずれか一方に円弧部（Ｕ’）を、他方には円弧部（Ｕ’）にスライド可能に嵌り合う第１案内軸（Ｓ’１）と第２案内軸（Ｓ’２）を備え、これら円弧部と二つの案内軸とで回動開閉体の回動を協働して制御する構成を有し、
前記円弧部（Ｕ’）を、作動機構外に円弧中心を持つ円弧形状とする第１嵌合部（Ｕ’１）と、作動機構内に円弧中心を持つ円弧形状とする第２嵌合部（Ｕ’２）とを一体的に連設し、前記円弧中心を回動開閉体の回動中心と同心として、回動開閉体を各嵌合部の円弧の軌道に沿わせて回動させるように構成することによって、
回動開閉体の開動作の当初においては、第１案内軸（Ｓ’１）と第２案内軸（Ｓ’２）と第１嵌合部（Ｕ’１）との協働によって、第１嵌合部（Ｕ’１）が持つ円弧中心である第１中心点（Ｐ’１）を回動中心として回動し、
開動作の途中、第１案内軸（Ｓ’１）が第１案内軸（Ｓ’１）が第１嵌合部（Ｕ’１）と第２嵌合部（Ｕ’２）との連結点に到達した時点で、第２案内軸（Ｓ’２）の中心が第２嵌合部（Ｕ’２）が持つ円弧中心である第２中心点（Ｐ’２）に到達するとともに、回動開閉体の回動中心が前記第１中心点（Ｐ’１）から第２中心点（Ｐ’２）に切換り、第２案内軸（Ｓ’２）を中心として回動することを特徴とする回動開閉体の支持構造。
【請求項４】
第１嵌合部（Ｕ１）および第２嵌合部（Ｕ２）と、第３嵌合部（Ｕ３）は溝形態であって、
この溝形態とする第２嵌合部（Ｕ２）と第３嵌合部（Ｕ３）とには段差を設けて、両嵌合部の交差部においても夫々の軸を他の嵌合部に逸脱させないようにしていることを特徴とする請求項２に記載の回動開閉体の支持構造。
【請求項５】
第１嵌合部（Ｕ’１）および第２嵌合部（Ｕ’２）は溝形態であって、
この溝形態とする第１嵌合部（Ｕ’２）と第２嵌合部（Ｕ’３）とには段差を設けて、両嵌合部の交差部においても夫々の軸を他の嵌合部に逸脱させないようにしていることを特徴とする請求項３に記載の回動開閉体の支持構造。
【発明の詳細な説明】
【０００１】
【発明の属する技術分野】
本発明は、ヘルメットにおける回動開閉体の支持構造に関する。
【０００２】
【従来の技術】
ヘルメットにおける回動開閉体は、フルフェースヘルメットであればヘルメット内にこもる熱気を換気する換気孔を開閉するシャッタであり、フルフェースヘルメットとジェット型ヘルメットの場合には、着用者の顔面を保護するシールド等である。
通常の回動開閉体の支持構造は、その回動における回動中心を単一として支持されて、その開閉動作の回動軌跡が一定の弧を描くように開閉するようになっているが、この支持構造であると、ヘルメットの設計自由度が狭くなるということがあった。
そのため、本出願人は、前記回動開閉体であるシールドの支持構造として、２箇所の分離した円弧孔を開設し、それら円弧孔それぞれにシールドの回動中心を２箇所ずつ設け、シールドの開閉動作中に回動中心が順次切換るようにした構造を提案している。（たとえば、特許文献１参照）
【０００３】
【特許文献１】
特許第２８７８２６２号公報（〔００１０〕〜〔００１３〕、〔図１〕、〔図３〕、〔図４〕）
【０００４】
ところで、シールドの曇りや熱気のこもりを迅速に取り除くには、外気の導入量を増やしてヘルメット内の換気効率を高める必要が有り、その手段の一つとして換気孔を大きく形成することにより外気の導入量を増やすことが考えられる。
しかしながら、フルフェイスヘルメットの顎部に設けられるマウスシャッタの場合、マウスシャッタの大きさが換気孔の大きさに対応するため、マウスシャッタが前記回動中心を単一とする支持形態であると、例えば、図１２および図１３に示すように、マウスシャッタ１０２の支持位置によっては、マウスシャッタ開状態においてマウスシャッタ１０２が顎ガード部１０１表面から外側に大きく突出してヘルメットのデザインを損ねる可能性がある。
そのため、マウスシャッタの全開状態における角度を小さくして突出量を少なくすることが挙げられるが、これでは、換気孔を大きくしても外気の導入量を増やすことはできない。
逆に、マウスシャッタをヘルメット内側方向へ開閉させる方法も考えられるが、この方法では、マウスシャッタがヘルメット内側に大きく突出するため、顎ガード部の内側にマウスシャッタのスペースを確保する必要もあるし、開閉における操作性という点で現実的には採用できない。
つまり、外気の導入量の増加とデザイン性および操作性を満足させるということを実現するマウスシャッタの回動中心の設定を行うことが難しく、このことが、ヘルメットの設計の自由度を狭くさせる要因となっている。
【０００５】
そこで、本願出願人は、前記先行技術文献に記載の支持構造を、前記した構成をマウスシャッタの開閉に採用することによって、ヘルメットの設計の自由度の拡大、ヘルメットのデザイン性の確保、ヘルメット内の換気効率および操作性の向上等を図った。
しかしながら、マウスシャッタはシールドに比べて極めて小さいものであるため、前記先行技術文献に記載の支持構造を、マウスシャッタの支持構造として採用するには、その構造を構成するに必要なスペースが確保できず、現実的には極めて難しいものである。
また、シールドの回動を考えた場合、帽体は本来人間の頭に沿った形状で作ることがヘルメットの設計上理想であって、シールドの回動にあわせた帽体形状ではなく、あくまで帽体形状に合わせたシールド回動を実現すべきである。
然るに、本願出願人は先行技術文献に記載の支持構造によってこの実用化を果しているが、基本的には帽体の形状に合わせたシールドの開閉について可能ではあるものの、この支持構造は、２個の円弧とこれに嵌合する軸からなる作動機構の内に、円弧の円弧中心（シールドの回動中心）が全部存在するため、帽体形状に合わせるシールドの回動軌跡を達成するための作動機構の設定位置や円弧部の設定位置、さらには円弧部の大きさ設定等の設計自由度について狭い範囲でしかないものであった。
【０００６】
【発明が解決しようとする課題】
そこで本発明は、シールドやマウスシャッタ等の回動開閉体における、外気の導入量の増加、デザイン性および操作性の向上、ヘルメットの設計自由度の拡大等の実現を課題とし、この課題を解決する新規な回動開閉体の支持構造の提供を目的とする。
【０００７】
【課題を解決するための手段】
本発明は上記した目的を達成するために下記の技術的手段を採用する。
その技術的手段は、ヘルメットにおけるシャッタ又は、シールドのような回動によって開閉する部材である回動開閉体の支持構造において、帽体側と回動開閉体とに亘って回動開閉体の作動機構を備え、当該作動機構は、帽体側または回動開閉体のいずれか一方に、回動開閉体の回動を制御するための円弧部を複数形成してなり、前記円弧部を、それぞれ円弧中心が異なる２個以上複数個の円弧を一体的に連設し、この円弧の内の少なくとも１個が作動機構外に円弧中心を持ち、この円弧中心を含む各円弧中心を回動開閉体の開閉動における回動中心と同心として、回動開閉体を各円弧の軌道に沿わせて回動させるように構成することによって、回動開閉体がその開閉動作途中で前記回動中心を切替えながら、前記各円弧の軌道に沿って回動する手段である。（請求項１）
【０００８】
【発明の実施の形態】
回動開閉体であるマウスシャッタの支持構造に好適な構造として、図１ないし図５に示すように、帽体と開閉回動体のいずれか一方に円弧部（Ｕ）を、他方には円弧部（Ｕ）にスライド可能に嵌り合う第１案内軸（Ｓ１）と第２案内軸（Ｓ２）を備え、これら円弧部（Ｕ）と二つの案内軸とで回動開閉体の回動を協働して制御する構成を有し、前記円弧部（Ｕ）を、円弧部（Ｕ）外に円弧中心を持つ円弧形状とする第１嵌合部（Ｕ１）と、円弧部（Ｕ）内に円弧中心を持つ円弧形状とする第２嵌合部（Ｕ２）と、前記第１嵌合部（Ｕ１）と円弧中心が共通する円弧形状とする第３嵌合部（Ｕ３）とを一体的に連設し、各円弧中心を回動開閉体の回動中心と同心として、回動開閉体を各嵌合部の円弧の軌道に沿わせて回動させるように構成することによって、回動開閉体の開動作の当初においては、第１案内軸（Ｓ１）と第１嵌合部（Ｕ１）および第２案内軸（Ｓ２）と第３嵌合部（Ｕ３）の協働によって、両嵌合部が持つ共通の円弧中心である第１中心点（Ｐ１）を回動中心として回動開閉体を案内し、開動作の途中、第１案内軸（Ｓ１）が第１嵌合部（Ｕ１）と第２嵌合部（Ｕ２）の連結点に到達した時点で、第２案内軸（Ｓ２）の中心が第２嵌合部（Ｕ２）が持つ円弧中心である第２中心点（Ｐ２）に到達するとともに、回動開閉体の回動中心が前記第１中心点（Ｐ１）から第２中心点（Ｐ２）に切換り、第２案内軸（Ｓ２）を中心として回動する構造が例示できる。（請求項２）
【０００９】
また、回動開閉体であるシールドの支持構造に好適な構造として、図１および図６ないし図８に示すように、帽体側と開閉回動体のいずれか一方に円弧部（Ｕ’）を、他方には円弧部（Ｕ’）にスライド可能に嵌り合う第１案内軸（Ｓ’１）と第２案内軸（Ｓ’２）を備え、これら円弧部と二つの案内軸とで回動開閉体の回動を協働して制御する構成を有し、前記円弧部（Ｕ’）を、円弧部（Ｕ’）外に円弧中心を持つ円弧形状とする第１嵌合部（Ｕ’１）と、円弧部（Ｕ’）内に円弧中心を持つ円弧形状とする第２嵌合部（Ｕ’２）とを一体的に連設し、前記円弧中心を回動開閉体の回動中心と同心として、回動開閉体を各嵌合部の円弧の軌道に沿わせて回動させるように構成することによって、回動開閉体の開動作の当初においては、第１案内軸（Ｓ’１）と第２案内軸（Ｓ’２）と第１嵌合部（Ｕ’１）との協働によって、第１嵌合部（Ｕ’１）が持つ円弧中心である第１中心点（Ｐ’１）を回動中心として回動し、開動作の途中、第１案内軸（Ｓ’１）が第１嵌合部（Ｕ’１）と第２嵌合部（Ｕ’２）との連結点に到達した時点で、第２案内軸（Ｓ’２）の中心が第２嵌合部（Ｕ’２）が持つ円弧中心である第２中心点（Ｐ’２）に到達するとともに、回動開閉体の回動中心が前記第１中心点（Ｐ’１）から第２中心点（Ｐ’２）に切換り、第２案内軸（Ｓ’２）を中心として回動する構造が例示できる。（請求項３）
【００１０】
請求項２および請求項３において、各嵌合部は、各案内軸が嵌合する形態であれば、孔形態または溝形態のいずれでもよい。
たとえば、請求項２の場合、第１嵌合部（Ｕ１）および第２嵌合部（Ｕ２）と、第３嵌合部（Ｕ３）を溝形態とし、この溝形態とする第２嵌合部（Ｕ２）と第３嵌合部（Ｕ３）とに段差を設けることによって、両嵌合部の交差部においても夫々の軸を他の嵌合部に逸脱させないようにすることがより確実となる。（請求項４）
また、請求項３の場合、第１嵌合部（Ｕ’１）および第２嵌合部（Ｕ’２）を溝形態とし、この溝形態とする第１嵌合部（Ｕ’２）と第２嵌合部（Ｕ’３）とには段差を設けて、両嵌合部の交差部においても夫々の軸を他の嵌合部に逸脱させないようにすることがより確実となる。（請求項５）
【００１１】
前記で例示した形態は、回動開閉体の回動中心が２箇所とする形態であるが、本発明ではこれに限定されるものではなく、例えば、曲率が異なる円弧を含む嵌合部（図９）や、直線をある角度の曲部を介して連結して構成とする嵌合部（図１０）のように、嵌合部の回動中途で回動中心が移動することで２箇所を超える回動中心となる形態も包含する。
【００１２】
【実施例】
以下、本発明の実施例を図面に基づいて説明する。
図１および図２はフルフェースヘルメットＡを示し、マウスシャッタ１で開閉される換気孔Ａ２と、正面の開口部Ａ４を開閉するシールド４を備えている。
【００１３】
最初に回動開閉体であるマウスシャッタ１を説明する。
マウスシャッタ１は、帽体Ｂにおける顎ガード部Ａ１に貫通取付けされたシャッタ支持部２に回動可能に支持されている。
マウスシャッタ支持部２は、マウスシャッタ１により開閉される換気孔３を備え、顎ガード部Ａ１に開口された貫通口Ａ３に固定され、その表面が顎ガード部Ａ１の表面とほぼ面一としている。
マウスシャッタ１は、シャッタ本体１１の左右夫々に形成された円弧部Ｕに、マウスシャッタ支持部２の左右夫々に設けられた第１案内軸Ｓ１と第２案内軸Ｓ２が嵌合して構成される作動機構によって、シャッタ支持部２に回動可能に支持される構成のものである。（図２〜図４参照）
【００１４】
マウスシャッタ１における円弧部Ｕは、円弧形の第１嵌合部Ｕ１と第２嵌合部Ｕ２と第３嵌合部とを一体的に連設してなり、第１嵌合部Ｕ１と第３嵌合部Ｕ３の円弧は、作動機構外に共通の中心点（以下、第１中心点Ｐ１という）を持ち、第２嵌合部Ｕ２の円弧は円弧部Ｕ内（作動機構内）に中心点（以下、第２中心点Ｐ２という）を持っており、マウスシャッタ１の開閉動は、前記第１中心点Ｐ１と第２中心点とに切換りながら行われるようにしている。（図５参照）
なお、第１嵌合部Ｕ１ないし第３嵌合部Ｕ３は、シャッタ本体１１の左右に一体形成された支持板１Ｌ，１Ｒに開孔してある。
また、第１案内軸Ｓ１と第２案内軸Ｓ２は、換気孔３における左右に前記支持板１Ｌ，１Ｒと対面するように一体形成された支持板３Ｌ，３Ｒに突出形成してある。
【００１５】
以下、マウスシャッタ１の開閉動における回動中心が切替わる構造を詳述すると、図５に示すように、第１嵌合部Ｕ１と第３嵌合部Ｕ３は、マウスシャッタ１の閉状態からの開動作において、最初は第１中心点Ｐ１を回動中心として、夫々径が異なる弧Ｃ１，Ｃ２を描き、マウスシャッタ１の開動作途中で回動中心を第１中心点Ｐ１から第２案内軸Ｓ２と同心とする第２中心点Ｐ２に切替え、さらに、第２嵌合部Ｕ２が切替え後の開動作において第２中心点Ｐ２を回動中心として弧Ｃ３を描く形状に形成してある。
第１嵌合部Ｕ１と第２嵌合部Ｕ２とは、第１中心点Ｐ１から第２中心点Ｐ２に切替る位置において連設されている。
中心点が切替る位置は、マウスシャッタ１の回動途中で第１嵌合部Ｕ１の屈曲部分Ｕ１１が第１案内軸Ｓ１に接触して、第１中心点Ｐ１を回動中心とする回動が終了する位置であり、このとき、第３嵌合部Ｕ３の終端部Ｕ３１が第２案内軸Ｓ２に接触する位置である。（図５（ｃ）参照）
【００１６】
このようにした支持構造によるマウスシャッタ１の開閉動作を図５（ａ）〜（ｅ）に基づいて説明する。
先ず、図５（ａ）に示すように、マウスシャッタ１の全閉状態においては、第１嵌合部Ｕ１の始端部Ｕ１２が第１案内軸Ｓ１に接触し、第２案内軸Ｓ２が第２嵌合部Ｕ２と第３嵌合部Ｕ３の交わる部位（第３嵌合部Ｕ３の始端部Ｕ３２）に位置している。
次に、全閉状態からマウスシャッタ１を開動作させると、図５（ｂ）に示すように、マウスシャッタ１は第１中心点Ｐ１を回動中心として、第１嵌合部Ｕ１と第３嵌合部Ｕ３が第１案内軸Ｓ１と第２案内軸Ｓ２に案内されて弧Ｃ１，Ｃ２を描くように回動する。
そして、マウスシャッタ１は、図５（ｃ）に示す位置において、第１嵌合部Ｕ１の屈曲部分Ｕ１１が第１案内軸Ｓ１に接触し、第３嵌合部Ｕ３の終端部Ｕ３１が第２案内軸Ｓ２に接触することによって、回動中心が第１中心点Ｐ１から第２中心点Ｐ２に切替わる。
この位置からマウスシャッタ１を開動作させると、図５（ｄ）に示すように、マウスシャッタ１は第２中心点Ｐ２を回動中心として、第２嵌合部Ｕ２が第１案内軸Ｓ１に案内されて弧Ｃ３を描くように回動する。
そして、全開状態では、図５（ｅ）に示すように、第２嵌合部Ｕ２の終端部Ｕ２１が第１案内軸Ｓ１に接触してマウスシャッタ１の回動が停止する。
【００１７】
本実施例のマウスシャッタ１の支持構造によれば、全開状態において、マウスシャッタ１の前端部をシャッタ支持部２の表面から外方へさほど突出させず、しかも、換気孔３の全域を開孔することができる。
【００１８】
次に、回動開閉体であるシールド４について説明する。
シールド４は、帽体Ｂの左右側面に回動可能に支持してある。
シールド４は、その左右端部側に形成された円弧部Ｕ’に、帽体Ｂ側に設けられた第１案内軸Ｓ’１と第２案内軸Ｓ’２が嵌合して構成される作動機構によって回動可能に支持される構成のものである。
なお、本実施例における図面では省略してあるが、帽体の左右側面にはベースプレートが装着され、このベースプレート上に前記第１案内軸Ｓ’１と第２案内軸Ｓ’２を設け、これに前記シールド４を支持し、さらにシールドカバーでカバーすることによって支持構造を隠すようにする。
【００１９】
シールドにおける円弧部Ｕ’は、円弧形の第１嵌合部Ｕ’１と第２嵌合部Ｕ’２を一体的に連設してなり、第１嵌合部Ｕ’１の円弧の中心点は、作動機構外に設定された第１中心点Ｐ’１とし、第２嵌合部Ｕ’２の円弧の中心点は、円弧部Ｕ’内（作動機構内）に設定された第２中心点Ｐ’２としており、シールド４の開閉動は、前記第１中心点Ｐ’１と第２中心点Ｐ’２とに切換りながら行われるようにしている。（図６〜８参照）
【００２０】
以下、シールドの開閉動における回動中心が切替わる構造を詳述すると、図６〜図８に示すように、シールド４の閉状態からの開動作において、最初は第１嵌合部Ｕ’１が第１中心点Ｐ’１を回動中心として弧Ｃ’１を描き、その開動作途中で回動中心を第１中心点Ｐ’１から第２案内軸Ｓ’２と同心とする第２中心点Ｐ’２に切替え、この切替え後の回動動作において、第２嵌合部Ｕ’２が第２中心点Ｐ’２を回動中心として、弧Ｃ’２を描く形状に形成してある。
第１嵌合部Ｕ’１と第２嵌合部Ｕ’２とは、第１中心点Ｐ’１から第２中心点Ｐ’２に切替る位置において連設されている。
中心点が切替る位置は、シールド４の回動途中で第１嵌合部Ｕ’１における第２案内軸Ｓ’２側の端部（以下、「終端部Ｕ’１１」といい、逆側端部を「始端部Ｕ’１２」という）が第２案内軸Ｓ’２に接触して、第１中心点Ｐ’１を回動中心とする回動が終了する位置であり、このとき、第２嵌合部Ｕ’２の始端部Ｕ’２１（第１嵌合部Ｕ’１との連設部分）が第２案内軸Ｓ’２と正対する位置である。（図７（ｂ）参照）
【００２１】
このようにした支持構造によるシールド４の開閉動作を図１および図６〜図８に基づいて説明する。
先ず、図１および図６に示すように、シールド４の全閉状態においては、第１嵌合部Ｕ’１の始端部Ｕ’１２が第１案内軸Ｓ’１に接触している。
このとき、シールド４は、帽体Ｂの開口部Ａ４の縁取りゴムＡ５に密着している。
次に、図７（ａ），（ｂ）に示すように、全閉状態からシールド４を開動作させると、シールドは第１中心点Ｐ’１を回動中心として、第１嵌合部Ｕ’１が第１案内軸Ｓ’１に案内されて弧Ｃ’１を描くように回動して、図７（ｂ）に示すように、第１嵌合部Ｕ’１の終端部Ｕ’１１が第２案内軸Ｓ’１に接触することによって、回動中心が第１中心点Ｐ’１から第２中心点Ｐ’２に切替わる。
このとき、シールド４は、図７（ａ）に示すように、縁取りゴムＡ５から離間するように回動する。
この位置からシールド４を開動作させると、図８（ａ），（ｂ）に示すように、シールド４は第２中心点Ｐ’２を回動中心として、第２嵌合部Ｕ’２が第１案内軸Ｓ’１に案内されて弧Ｃ’２を描くように回動して、図８（ｂ）に示すように、第２嵌合部Ｕ２’の終端部Ｕ’２２が第１案内軸Ｓ’１に接触してシールド４の回動が停止して全開状態となる。
このとき、シールド４は、図８（ａ）に示すように、帽体Ｂ表面に近接した状態となる。
【００２２】
本実施例のシールド４の支持構造によれば、全閉状態においてシールド４を縁取りゴムＡ５に密着させ、全開状態においてシールド４を帽体Ｂ表面に近接させることができる。
【００２３】
図９および図１０は、マウスシャッタ１における回動中心を２箇所を超す数とした例を夫々示している。
なお、図９における各嵌合部は、第１嵌合部Ｕ１０、第２嵌合部Ｕ２０、第３嵌合部Ｕ３０とし、図１０における各嵌合部は、第１嵌合部Ｕ１０’、第２嵌合部Ｕ２０’、第３嵌合部Ｕ３０’とする。
【００２４】
図９における第１嵌合部Ｕ１０および第３嵌合部Ｕ３０の形態は、嵌合部における円弧の曲率が中途部分から変化する形態のものであり、この異なる曲率の円弧に沿う回動の各々の回動中心点を有している。
具体的には、始端部から回動中途でまでの円弧Ｃ４、Ｃ４’よりも、当該回動中途から終端部までの円弧Ｃ５、Ｃ５’の径を大きくしたものであり、そのため、円弧Ｃ４、Ｃ４’の回動中心である第１中心点Ｐ３の位置と円弧Ｃ５、Ｃ５’の回動中心である第２中心点Ｐ４が異なる位置となる。
つまり、円弧Ｃ４、Ｃ４’における回動の中心は第１中心点Ｐ３であり、この回動中途から連続して円弧Ｃ５、Ｃ５’に沿う回動に切り替わるとき、その回動の中心が第１中心点Ｐ３から第２中心点Ｐ４の間で徐々に移動して、当該第２中心点Ｐ４に切り替わる。
この場合、回動の中心が第１中心点Ｐ３から第２中心点Ｐ４に移動する状態においても嵌合部Ｕ１０、Ｕ３０に沿う回動があるため、第１中心点Ｐ３から第２中心点Ｐ４の間にも複数の中心点が存在する。
そして、第２中心点Ｐ４を回動中心とする円弧Ｃ５に沿う回動が終了すると同時に、第３中心点Ｐ５を回動中心とする円弧Ｃ６に沿う回動が開始される。
したがって、前記実施例におけるマウスシャッタの回動中心の数は、第１、第２、第３中心点の３箇所と、第１中心点Ｐ３から第２中心点Ｐ４の間に存在する複数の中心点であり、このような３箇所以上の複数の回動中心が存在する構成においても実施が可能である。
【００２５】
図１０における第１嵌合部Ｕ１０’、第２嵌合部Ｕ２０’、第３嵌合部Ｕ３０’の形態は、複数の直線ＳＴ１〜ＳＴ９を各形状の曲部を介して連結して構成した形態である。
この構成は、マウスシャッタの回動運動において、各案内軸が曲部に接触する度に回動運動が規制されるようにしたものであり、この規制により、マウスシャッタの開操作にラチェット機能が発揮される。
また、この構成においては、マウスシャッタは各直線に沿って移動するため、厳密には回動運動ではないが、マウスシャッタの全体的な動作を見たときにおいては回動運動に近い動作を行う。
つまり、各直線に沿って移動しようとしながら回動しようとする動作となるため、その動作中にずれが生じるが、大きくは回動の中心点Ｐ６および中心点Ｐ７を回動中心とする動作とみなすことができる。
したがって、本実施例の形態も２箇所を超す複数の回動の中心点が存在するものである。
【００２６】
前記実施例における第１嵌合部Ｕ１と第２嵌合部Ｕ２は貫通孔として説明したが、本発明では図１１に示す溝形態にすることも任意である。
以下、本実施例の溝形態とする第１嵌合部と第２嵌合部の形態を説明するが、本実施例の第１嵌合部には符号Ｕ１’を、第２嵌合部には符号Ｕ２’を、第３嵌合部には符号Ｕ３’を夫々付す。
また、第１案内軸には符号Ｓ１’を、第２案内軸にはＳ２’を夫々付す。
基本的な外形は、第１嵌合部Ｕ１’、第２嵌合部Ｕ２’および第３嵌合部Ｕ３’共に前記第１嵌合部Ｕ１、第２嵌合部Ｕ２および第３嵌合部Ｕ３と同様である。
第３嵌合部Ｕ３’の底面Ｕ３の高さ位置は、第１嵌合部Ｕ１’と第２嵌合部Ｕ２’の底部Ｕ４から一段下がった位置に有り、これによって第３嵌合部Ｕ３’の周囲に壁面状の段差Ｗが形成される。
第１案内軸Ｓ１’は第１嵌合部Ｕ１’の底部Ｕ４に近接する長さであり、第２案内軸Ｓ２’は第３嵌合部Ｕ３’の底部Ｕ３に近接する長さであって、第２案内軸Ｓ２’は前記段差Ｗに保持されて確実に第３嵌合部Ｕ３’内への嵌合状態が保持される。
本実施例によれば、前記した実施例と同様に、全開状態において、マウスシャッタ１の前端部をシャッタ支持部２の表面から外方へさほど突出させず、しかも、換気孔３の全域を開孔することができる上に、第２案内軸Ｓ２’が段差Ｗによって第３嵌合部Ｕ３’により確実に保持される。
【００２７】
なお、前記、図９ないし図１１に示す実施例については、図６ないし図８に示すシールドの支持構造にも実施が可能なものである。
【００２８】
【発明の効果】
本発明の回動開閉体の支持構造は以上説明したとおり、マウスシャッタ支持構造およびシールドの支持構造に共用できる。
つまり、マウスシャッタのような小さい部材中でも支持構造を容易に形成できる上に、帽体形状に合わせたシールドの回動を可能にできる。
特に、回動中心のいずれかが作動機構外に有る支持構造の場合には、マウスシャッタおよびシールドの支持構造いずれにおいても、その設定位置および回動軌跡の自由度を拡げるという点において効果的である。
【００２９】
回動開閉体がマウスシャッタの場合においては、その全開状態において、マウスシャッタの前端部をシャッタ支持部の表面から外方へさほど突出させず、しかも、換気孔の略全域を開孔することができる。
したがって、外気の導入量の増加と、ヘルメットの良好なデザイン性および操作性を満足させるとともに、ヘルメットの設計自由度の拡大を実現することができる。
【００３０】
回動開閉体がシールドの場合においては、全開状態においてシールドを帽体表面に近接した状態で保持することができる。
たとえば、帽体表面に凸状体が存在していたとしても、シールドの開動作において、開動作当初においてはシールドが凸状体を避けながらも、開動作中途から回動中心が切換って全閉状態では帽体表面に近接する。
また、庇が装備されているオフロード用のヘルメットに本発明の支持構造を採用した場合には、庇の角度に合わせてシールドの全開角度を設定できるので、シールドを上げたとき、庇の内側に格納保持することが容易となる。
つまり、帽体は本来人間の頭に沿った形状で成型することがヘルメットの機能上必要であって、シールドの回動に合わせた帽体形状は適していないが、本発明の支持構造では、
帽体形状に合わせたシールド回動を実現することができる。
したがって、ヘルメットの良好なデザイン性および操作性を満足させるとともに、ヘルメットの設計自由度の拡大を実現することができる。
【００３１】
さらに、請求項４および請求項５の発明によれば、前記効果に加えて、段差によって案内軸の嵌合部への嵌合が、より確実に保持されるので、回動開閉体の開閉動作時において、案内軸を嵌合部から逸脱させることなく回動開閉体を確実に回動案内する上できわめて優れた効果が有る。
【図面の簡単な説明】
【図１】本発明のマウスシャッタおよびシールドの支持構造を実施したフルフェースヘルメットの断面図。
【図２】マウスシャッタの支持構造を示す分解斜視図。
【図３】要部拡大図。
【図４】開状態を示す要部拡大図。
【図５】開閉動作を示す行程図。
【図６】シールドの支持構造を示す要部拡大図。
【図７】開閉動作を示す行程図。
【図８】開閉動作を示す行程図。
【図９】各嵌合部の他の実施例を示す。
【図１０】各嵌合部の他の実施例を示す。
【図１１】第１嵌合部と第２嵌合部の他の実施例を示す斜視図。
【図１２】従来の支持構造を示す断面図。
【図１３】従来の支持構造を示す断面図。
【符号の説明】
Ａ：フルフェースヘルメット
１：マウスシャッタ
Ｕ，Ｕ’：円弧部
Ｓ１，Ｓ’１，Ｓ１’：第１案内軸
Ｓ２，Ｓ’２，Ｓ２’：第２案内軸
Ｕ１，Ｕ’１，Ｕ１’，Ｕ１０：第１嵌合部
Ｕ２，Ｕ’２，Ｕ２’，Ｕ２０：第２嵌合部
Ｕ３，Ｕ３’，Ｕ３０：第３嵌合部
Ｐ１，Ｐ’１：第１中心点
Ｐ２，Ｐ’２：第２中心点
Ｗ：段差
【図１】
2004124346.tif 000003
【図２】
2004124346.tif 000004
【図３】
2004124346.tif 000005
【図４】
2004124346.tif 000006
【図５】
2004124346.tif 000007
【図６】
2004124346.tif 000008
【図７】
2004124346.tif 000009
【図８】
2004124346.tif 000010
【図９】
2004124346.tif 000011
【図１０】
2004124346.tif 000012
【図１１】
2004124346.tif 000013
【図１２】
2004124346.tif 000014
【図１３】
2004124346.tif 000015